(57)【要約】  触覚提示装置（１０）は、フィルム（１１）、キースイッチ（１３）および駆動部を備える。フィルム（１１）では、端部が固定され、押込操作により主面が凹むことが可能である。キースイッチ（１３）は、フィルム（１１）の前記主面に対する押込操作を検出する。駆動部は、キースイッチ（１３）が押込操作を検出したときに、圧電素子（１４）を伸縮させることで、フィルム（１１）の面方向の張力を変化させる。
2016067832.tif 000002
【特許請求の範囲】
【請求項１】
端部が固定され、押込操作により主面が凹むことが可能なフィルムと、
前記フィルムの前記主面に対する押込操作を検出する押込操作検出部と、
前記押込操作検出部が押込操作を検出したときに、前記フィルムの面方向の張力を変化させる駆動部と、を備える、触覚提示装置。
【請求項２】
前記フィルムの前記主面の反対側に空間または弾力性部材が設けられる、請求項１に記載の触覚提示装置。
【請求項３】
前記フィルムの一方の端部は固定され、前記フィルムの他方の端部は前記駆動部に取付けられている、請求項１または２に記載の触覚提示装置。
【請求項４】
前記フィルムの両端部は固定され、
前記フィルムは、電圧を加えることで面方向に変形し、
前記駆動部は、前記押込操作検出部が押込操作を検出したときに、前記フィルムに電圧を印加する、請求項１または２に記載の触覚提示装置。
【請求項５】
前記フィルムは、両主面に電極が形成された圧電性樹脂からなる圧電フィルムである、請求項４に記載の触覚提示装置。
【請求項６】
前記圧電性樹脂はポリフッ化ビニリデンを材料とする、請求項５に記載の触覚提示装置。
【請求項７】
前記圧電性樹脂はポリ乳酸を材料とする、請求項５に記載の触覚提示装置。
【発明の詳細な説明】
【技術分野】
【０００１】
本発明は、利用者に振動を伝えることで触覚フィードバックを与える触覚提示装置に関する。
【背景技術】
【０００２】
触覚提示装置として、例えば、特許文献１に記載のタッチ式入力装置がある。このタッチ式入力装置は、複数のスイッチ部が設けられたメンブレインスイッチ、メンブレインスイッチの下部に設けられた振動発生手段、および、スイッチ部の動作状態を検出して振動発生手段に振動を発生させる制御部を備える。このタッチ式入力装置では、操作者が指でスイッチ部を押すと、制御部が振動発生手段を駆動させる。振動発生手段の駆動により生じた振動が指に伝達されるので、操作者は操作感を得ることができる。
【先行技術文献】
【特許文献】
【０００３】
【特許文献１】特開２００５−３３９８５５号公報
【発明の概要】
【発明が解決しようとする課題】
【０００４】
特許文献１に記載のタッチ式入力装置では、振動発生手段が全てのスイッチ部に対向するように設けられている。また、振動発生手段は、例えば、分銅付きモータ等を含む。このため、振動発生手段のサイズが大きくなり、延いては、タッチ式入力装置が厚くなるおそれがある。【０００５】
本発明の目的は、薄型化することができる触覚提示装置を提供することにある。
【課題を解決するための手段】
【０００６】
本発明の触覚提示装置は、フィルム、押込操作検出部および駆動部を備える。このフィルムでは、端部が固定され、押込操作により主面が凹むことが可能である。押込操作検出部は、フィルムの前記主面に対する押込操作を検出する。駆動部は、押込操作検出部が押込操作を検出したときに、フィルムの面方向の張力を変化させる。【０００７】
この構成によれば、ユーザが指で押込操作検出部を押すと、駆動部は、フィルムを伸縮させる。これにより、フィルムのうち指で押された部分は上下方向に振動し、フィルムの振動は指に伝達される。このように、駆動部はフィルムの面方向の張力を変化させるだけなので、駆動部を押込操作検出部の下部に設ける必要がない。このため、触覚提示装置を薄型化することができる。また、この構成によれば、どの押込操作検出部を押しても、同じ振動が指に伝達されるので、ユーザは同じ振動を感じることができる。【０００８】
本発明の触覚提示装置では、フィルムの前記主面の反対側に空間または弾力性部材が設けられることが好ましい。この構成によれば、ユーザが指で押込操作検出部を押したとき、フィルムの主面は凹むことができる。また、フィルムの下部（前記主面の反対側）が空間の場合、キー（押込操作検出部）毎に開口部を設けた保持部材が必要になるが、フィルムの下部が弾力性部材の場合、必ずしもキー毎に開口部を設ける必要が無い。すなわち、キー毎に設けた開口部に弾力性部材を挿入しても良いし、平面視でキー全体に重なるような弾力性部材を挿入しても良い。また、フィルムの下部に弾力性部材を挿入した場合、フィルムの張力の大小に関わらず、弾力性部材がフィルムの土台として作用するため、非操作時にフィルムが緩んで開口部を目立たせることは無い。キー毎に開口部を設けることによるメリットは隣り合うキーの位置を触感的に感じ取りやすいことである。逆に全体に弾力性部材を配置する場合はキー毎に弾力性部材を挿入した時と比べて製造面で作りやすいことや、挿入する弾力性部材の材料バラつきが発生しにくいメリットがある。また、指で押込操作検出部を押すと、指が弾力性部材から押し返されるので、押込操作検出部を押した感覚を強く感じることができる。【０００９】
本発明の触覚提示装置では、フィルムの一方の端部は固定され、フィルムの他方の端部は駆動部に取付けられてもよい。この構成によれば、駆動部は、フィルムの端部を動かすことでフィルムの面方向の張力を変化させる。このため、フィルムの端部付近のみに駆動部を設ければよい。また、フィルムの端部を動かすだけなので、駆動部のサイズを小さくすることができる。このため、触覚提示装置を小型化および薄型化することができる。なお、フィルムと駆動部の組み合わせは、１つでも良いし、キーのエリアごとに分けるなど複数設けても良い。例えば右手領域と左手領域に分けることもできる。フィルムと駆動部の組み合わせを１つで構成した場合は、構造が簡単にできるメリットがある。またフィルムと駆動部の組み合わせを複数設けた場合は、キーのタイピングスピードが早くても対応が容易になるメリットがある。【００１０】
本発明の触覚提示装置は次のように構成されてもよい。フィルムの両端部は固定される。フィルムは電圧を加えることで面方向に変形する。駆動部は、押込操作検出部が押込操作を検出したときに、フィルムに電圧を印加する。この構成では、フィルムの端部を動かす機構が必要ないので、触覚提示装置をさらに小型化することができる。また、フィルム自体が伸縮することで振動が生じるので、ユーザは振動を感じやすい。なお、ここではフィルムの両端を固定しても良好な振動を得ることが出来るが、上記で示したようなフィルムの一方端部を固定してフィルムの他方の端部を駆動部にとりつけても良い。この場合、両方の振動を得ることが出来るので、より大きな振動を得ることができる。【００１１】
本発明の触覚提示装置では、フィルムは、両主面に電極が形成された圧電性樹脂からなる圧電フィルムでもよい。【００１２】
本発明の触覚提示装置では、圧電性樹脂はポリフッ化ビニリデンを材料としてもよい。この構成では、ポリフッ化ビニリデン（ＰＶＤＦ）に耐水性があるため、例えば触覚提示装置を含む電子機器をどのような湿度環境下においても同じようなクリック感を得ることができるメリットがある。【００１３】
本発明の触覚提示装置では、圧電性樹脂はポリ乳酸を材料としてもよい。この構成では、ポリ乳酸は透過性の高い材料であるため、ポリ乳酸に付加する電極やキーシートに透明な材料を用いると、振動機能を製造した際に振動機能の内部状況を視認出来るため、製造上のメリットがある。また、振動機能内部にライトなどの発光源を配置することによって暗いところでもキーの位置を視認することができる。また、PLLAは焦電性が無いため、例えば触覚提示装置を含む電子機器をどのような温度環境下においても同じようなクリック感を得ることができるメリットがある。
【発明の効果】
【００１４】
本発明によれば、触覚提示装置を薄型化することができる。
【図面の簡単な説明】
【００１５】
【図１】図１（Ａ）は、第１の実施形態に係る触覚提示装置の模式的な外観斜視図である。図１（Ｂ）は、第１の実施形態に係る触覚提示装置の要部を示す模式的断面図である。
【図２】第１の実施形態に係る触覚提示装置の構成を示すブロック図である。
【図３】第１の実施形態に係る触覚提示装置の動作を示す模式的断面図である。
【図４】図４（Ａ）は、第１の実施形態の変形例に係る触覚提示装置２０の要部を示す模式的断面図である。図４（Ｂ）および図４（Ｃ）は、第１の実施形態の変形例に係る触覚提示装置２０の動作を示す模式的断面図である。
【図５】図５（Ａ）は、第１の実施形態の変形例に係る触覚提示装置３０の要部を示す模式的断面図である。図５（Ｂ）および図５（Ｃ）は、第１の実施形態の変形例に係る触覚提示装置３０の動作を示す模式的断面図である。
【図６】図６（Ａ）は、第２の実施形態に係る触覚提示装置の要部を示す模式的断面図である。図６（Ｂ）および図６（Ｃ）は、第２の実施形態に係る触覚提示装置の動作を示す模式的断面図である。
【図７】図７（Ａ）は、第３の実施形態に係る触覚提示装置の要部を示す模式的断面図である。図７（Ｂ）および図７（Ｃ）は、第３の実施形態に係る触覚提示装置の動作を示す模式的断面図である。
【発明を実施するための形態】
【００１６】
《第１の実施形態》
本発明の第１の実施形態に係る触覚提示装置１０について説明する。図１（Ａ）は触覚提示装置１０の模式的な外観斜視図である。図１（Ｂ）は、触覚提示装置１０の要部を示す模式的断面図である。触覚提示装置１０は、いわゆるキーボードであり、略矩形平板状である。触覚提示装置１０の上面には、キー配列に対応した位置に複数のキースイッチ１３が設けられている。キースイッチ１３はユーザによる押込操作を検出する。キースイッチ１３は本発明の「押込操作検出部」に相当する。
【００１７】
触覚提示装置１０は、フィルム１１、キーシート１２、圧電素子１４および保持部材１５を備える。保持部材１５の上面には、フィルム１１が配置されている。フィルム１１の上面には、キーシート１２が貼付されている。フィルム１１の一方の端部は保持部材１５に固定されている。フィルム１１の他方の端部およびそれに対応するキーシート１２の端部は、圧電素子１４に取付けられている。フィルム１１の上面は押込操作により凹むことが可能である。フィルム１１は緩んだ状態になっている。
【００１８】
フィルム１１は、平面視で矩形状であり、樹脂製の薄膜等からなる。フィルム１１の端部は、接着部材１７で保持部材１５に固定されている。フィルム１１の端部以外の部分は、保持部材１５に接触しているだけであり、固定されていない。キーシート１２は平面視で矩形状である。キーシート１２には、複数のキースイッチ１３が設けられている。キースイッチ１３は、メンブレイン式、静電容量式、圧電フィルム式等の方式で構成されている。
【００１９】
保持部材１５は、矩形状の平板に複数の開口部１６が形成されてなり、金属、樹脂等を材料とする。開口部１６は、各々のキースイッチ１３に対応し、平面視でキースイッチ１３に重なるように形成されている。なお、開口部１６は、保持部材１５を貫通するようなものでも良いし、貫通していない凹みのようなものでも良い。ここではフィルム１１の動きを阻害しないものであれば良い。
【００２０】
開口部１６のフィルム１１に接する内周部に丸みを設けて、フィルム１１がすべりやすくしておくとなお良い。開口部１６上のキーシート１２の上には、指で押した時変形しない板状の押し子を配置しフィルム１１を押込みやすくしても良い。
【００２１】
圧電素子１４におけるフィルム１１側の反対側は、筐体（図示せず）等に固定されている。圧電素子１４は、圧電体と、圧電体に電圧を印加するための電極とからなる。圧電体は、例えば、圧電セラミックス、圧電性樹脂等である。
【００２２】
図２は、触覚提示装置１０の構成を示すブロック図である。ユーザがキースイッチ１３に対して押込操作を行うと、制御部１８が圧電素子１４の電極に交流電圧を印加する。これにより、圧電素子１４はフィルム１１の主面に平行な方向に伸縮する。なお、制御部１８は、ＣＰＵ、ＲＡＭ、ＲＯＭ、圧電素子１４を駆動するための駆動回路等から構成される。第１の実施形態では、圧電素子１４および制御部１８からなる構成が本発明の「駆動部」に相当する。
【００２３】
図３は、触覚提示装置１０の動作を示す模式的断面図である。図３（Ａ）に示すように、ユーザが指Ｆでキースイッチ１３を押すと、フィルム１１が緩い状態になっているので、フィルム１１の上面のうち指Ｆで押された部分が凹む。また、制御部１８は圧電素子１４の電極に所定方向の電圧を印加する。図３（Ｂ）に示すように、圧電素子１４の電極に所定方向の電圧が印加されると、圧電素子１４が収縮する。圧電素子１４が収縮すると、フィルム１１に面方向の張力がかかり、フィルム１１がぴんと張られる。これにより、指Ｆが突き上げられる。次に、制御部１８が圧電素子１４の電極に所定方向の逆方向の電圧を印加すると、圧電素子１４が伸長する。圧電素子１４が伸長すると、フィルム１１が緩み、フィルム１１の上面のうち指Ｆで押された部分が再び凹む。このようにして、フィルム１１のうち指Ｆで押された部分は、圧電素子１４の電極に印加される交流電圧に応じて上下方向に振動する。そして、フィルム１１の振動は指Ｆに伝達される。
【００２４】
第１の実施形態では、フィルム１１の端部を動かすことで振動を発生させる。このため、フィルム１１の端部付近のみに圧電素子１４を設ければよく、振動を発生させる機構をフィルム１１の下部に設ける必要がない。また、フィルム１１の端部を動かすだけなので、圧電素子１４のサイズを小さくすることができる。この結果、触覚提示装置１０を小型化および薄型化することができる。また、どのキースイッチ１３を押しても、同じ振動が指Ｆに伝達されるので、ユーザは同じ振動を感じることができる。
【００２５】
図４（Ａ）は、第１の実施形態の変形例に係る触覚提示装置２０の要部を示す模式的断面図である。触覚提示装置２０では、モータ２６の回転に応じて振動が発生する。モータ２６の回転軸には、その動径方向に延出する延出部材２９が設けられている。フィルム１１およびキーシート１２の端部のうち保持部材１５に固定された側の反対側の端部は、延出部材２９に取付けられている。
【００２６】
図４（Ｂ）および図４（Ｃ）は、触覚提示装置２０の動作を示す模式的断面図である。図４（Ｂ）に示すように、ユーザがキースイッチ１３を押すと、フィルム１１の上面のうち指Ｆで押された部分が凹む。また、制御部１８は、モータ２６の回転軸が所定方向に回転するように、モータ２６に電圧を印加する。図４（Ｃ）に示すように、モータ２６の回転軸が所定方向に回転すると、延出部材２９がモータ２６の回転軸の周りに回転する。これにより、フィルム１１がぴんと張られ、指Ｆが突き上げられる。次に、制御部１８は、モータ２６の回転軸が所定方向の逆方向に回転するように、モータ２６に電圧を印加する。モータ２６の回転軸が所定方向の逆方向に回転すると、延出部材２９が元の位置に戻る。これにより、フィルム１１が緩み、フィルム１１の上面のうち指Ｆで押された部分が凹む。このようにして、フィルム１１のうち指Ｆで押された部分は、モータ２６に印加される電圧に応じて上下方向に振動する。
【００２７】
図５（Ａ）は、第１の実施形態の変形例に係る触覚提示装置３０の要部を示す模式的断面図である。触覚提示装置３０では、カム機構を利用して振動を発生させる。フィルム１１およびキーシート１２の端部のうち保持部材１５に固定された側の反対側の端部は、固定部材４２に固定されている。モータ２６の回転軸にはカム３９が設けられている。カム３９は、保持部材１５と固定部材４２との間で、かつ、フィルム１１の下面側に配置している。カム３９の長径方向はフィルム１１の主面に平行な方向を向いている。ガイド４１は、保持部材１５とカム３９との間で、かつ、キーシート１２の上面側に配置されている。
【００２８】
図５（Ｂ）および図５（Ｃ）は、触覚提示装置３０の動作を示す模式的断面図である。図５（Ｂ）に示すように、ユーザが指Ｆでキースイッチ１３を押すと、フィルム１１の上面のうち指Ｆで押された部分が凹むとともに、制御部１８がモータ２６に電圧を印加する。モータ２６に電圧が印加されると、モータ２６の回転軸そしてカム３９が回転する。図５（Ｃ）に示すように、カム３９の突出部（カムノーズ）が上方向を向くと、フィルム１１のうちガイド４１と固定部材４２との間にある部分は上方向に引っ張られる。そして、フィルム１１のうちガイド４１に対してキースイッチ１３が配置された側の部分は、フィルム１１の主面に平行な方向に引っ張られる。これにより、フィルム１１がぴんと張られるので、指Ｆが突き上げられる。カム３９の突出部が上方向以外を向くと、フィルム１１が緩み、フィルム１１の上面のうち指Ｆで押された部分が凹む。このようにして、フィルム１１のうち指Ｆで押された部分は、モータの回転に応じて上下方向に振動する。
【００２９】
《第２の実施形態》
本発明の第２の実施形態に係る触覚提示装置５０について説明する。以下では、触覚提示装置１０（図１参照）と異なる点について説明する。図６（Ａ）は、触覚提示装置５０要部を示す模式的断面図である。触覚提示装置５０は、フィルム１１（図１参照）に代えて圧電フィルム５１を備え、圧電素子１４（図１参照）を備えていない。圧電フィルム５１の両端部は接着部材１７で保持部材１５の両端部に固定されている。圧電フィルム５１は緩んだ状態になっている。
【００３０】
圧電フィルム５１は、平面視で矩形状のベースフィルムと、ベースフィルムの対向する両主面に形成された電極とを備える。ベースフィルムは、圧電性樹脂であり、例えばポリフッ化ビニリデン（ＰＶＤＦ）、キラル高分子等の材料を用いる。キラル高分子は、例えば、Ｌ型ポリ乳酸（ＰＬＬＡ）等である。PLLAを使う時は、１軸延伸方向から45±10°もしくは-45±10°の方向が押圧時のフィルム伸長方向とほぼ平行になるように配置すると良い。
【００３１】
圧電フィルム５１の電極には、アルミ（Ａｌ）、銅（Ｃｕ）等の蒸着電極を用いることが好ましい。なお、圧電フィルム１１の電極に透明性が必要な場合は、酸化インジウムスズ（ＩＴＯ）、酸化亜鉛（ＺｎＯ）、ポリチオフェンを主成分とする電極材料や、銀ナノワイヤ電極材料を用いることが好ましい。なお、圧電フィルム５１の電極には、カーボンナノチューブやカーボンファイバー等のカーボンを成分とする電極材料を用いることも可能である。
【００３２】
ユーザがキースイッチ１３に対して押込操作を行うと、制御部１８（図２参照）により圧電フィルム５１の電極に交流電圧が印加される。これにより、圧電フィルム５１はその主面に平行な方向に伸縮する。すなわち、圧電フィルム５１は、電圧を加えることで面方向に変形する。第２の実施形態では、制御部１８が本発明の「駆動部」に相当する。
【００３３】
図６（Ｂ）および図６（Ｃ）は、触覚提示装置５０の動作を示す模式的断面図である。図６（Ｂ）に示すように、ユーザが指Ｆでキースイッチ１３を押すと、圧電フィルム５１が緩い状態なので、圧電フィルム５１の上面のうち指Ｆで押された部分が凹む。また、制御部１８は圧電フィルム５１の電極に所定方向の電圧を印加する。図６（Ｃ）に示すように、圧電フィルム５１の電極に所定方向の電圧が印加されると、圧電フィルム５１が収縮する。圧電フィルム５１が収縮すると、圧電フィルム５１の両端部が固定されているので、圧電フィルム５１がぴんと張られ、指Ｆが突き上げられる。次に、制御部１８が圧電フィルム５１に所定方向の逆方向の電圧を印加すると、圧電フィルム５１が伸長する。圧電フィルム５１が伸長すると、圧電フィルム５１が緩み、圧電フィルム５１の上面のうち指Ｆで押された部分が再び凹む。このようにして、圧電フィルム５１のうち指Ｆで押された部分は、圧電フィルム５１の電極に印加される交流電圧に応じて上下方向に振動する。
【００３４】
特に、指Ｆでキースイッチ１３を押すと、緩く張った圧電フィルム５１は両端が固定されているため、指Ｆで押すことによって圧電フィルム５１がピンと張った状態になる。この状態になってから圧電フィルム５１に電圧を印加して圧電フィルム５１を収縮させるので、指Ｆが突き上げられた感触をより感じるようにすることができる。
【００３５】
第２の実施形態では、フィルム１１の端部を動かすための圧電素子やモータが必要ないので、触覚提示装置５０をさらに小型化することができる。また、圧電フィルム５１は伸縮方向に長いので、圧電フィルム５１の伸縮方向の長さは伸縮時に大きく変化する。このため、圧電フィルム５１のうち指Ｆで押された部分を上下方向に大きく変位させることができる。また、圧電フィルム５１自体が伸縮することで振動が生じるので、ユーザは振動を感じやすい。また、どのキースイッチ１３を押しても、同じ振動が指Ｆに伝達されるので、ユーザは同じ振動を感じることができる。
【００３６】
《第３の実施形態》
本発明の第３の実施形態に係る触覚提示装置６０について説明する。以下では、触覚提示装置５０（図６参照）と異なる点について説明する。図７（Ａ）は、触覚提示装置６０の要部を示す模式的断面図である。触覚提示装置６０は、保持部材１５（図６参照）に代えて保持部材６５を備え、触覚提示装置５０の構成に加えてクッション材７３を備える。クッション材７３は本発明の「弾力性部材」に相当する。
【００３７】
保持部材６５は、枠状であり、矩形状の平板の中央部に矩形状の開口部が形成されてなる。保持部材６５の開口部には、クッション材７３が充填されている。クッション材７３の上面は圧電フィルム５１の下面に接触している。
【００３８】
図７（Ｂ）および図７（Ｃ）は、触覚提示装置６０の動作を示す模式的断面図である。図７（Ｂ）に示すように、ユーザが指Ｆでキースイッチ１３を押すと、圧電フィルム５１が緩い状態なので、圧電フィルム５１およびクッション材７３のうち指Ｆで押された部分が凹む。圧電フィルム５１の上面の他の部分では、クッション材７３からの垂直抗力により形状が維持される。また、制御部１８（図２参照）は圧電フィルム５１の電極に所定方向の電圧を印加する。図７（Ｃ）に示すように、圧電フィルム５１の電極に所定方向の電圧が印加されると、第２の実施形態の場合と同様に、圧電フィルム５１がぴんと張られ、指Ｆが突き上げられる。次に、制御部１８が圧電フィルム５１の電極に所定方向の逆方向の電圧を印加すると、第２の実施形態の場合と同様に、圧電フィルム５１およびクッション材７３のうち指Ｆで押された部分が再び凹む。このようにして、圧電フィルム５１およびクッション材７３のうち指Ｆで押された部分は、圧電フィルム５１の電極に印加される交流電圧に応じて上下方向に振動する。
【００３９】
触覚提示装置を透光性が高い材料で構成する場合、複数の開口部が形成された保持部材を用いると、開口部がある箇所と開口部がない箇所とで透光性が異なるので、保持部材が目立ってしまう。第３の実施形態では、圧電フィルム５１の下部にクッション材７３が設けられている。クッション材７３は、開口部等を有しないので、目立ちにくい。このため、触覚提示装置６０をより透明に見えるようにすることができる。
【００４０】
また、第３の実施形態では、指でキースイッチ１３を押すと、指がクッション材７３から押し返されるので、キースイッチ１３を押した感覚を強く感じることができる。また、第２の実施形態と同様の効果を得ることができる。
【００４１】
なお、上述の実施形態では、触覚提示装置が動作していないとき、フィルムが緩い状態になっているが、本発明はこれに限定されない。本発明では、触覚提示装置が動作していないとき、フィルムがぴんと張られてもよい。この場合、ユーザがキースイッチを押すと、駆動部は、ぴんと張られたフィルムを緩めることと、緩んだフィルムを元に戻すこととを繰り返す。これにより、フィルムのうち指で押された部分は上下方向に振動する。
【００４２】
また、上述の実施形態では、フィルムの端部以外の部分は保持部材に接触しているだけだが、本発明はこれに限定されない。本発明では、フィルムの面方向の伸縮があまり抑制されないように、フィルムの端部以外の部分が粘着剤等で保持部材に貼付されてもよい。
【００４３】
また、上述の実施形態では、保持部材として、開口部が形成された平板を用いているが、本発明はこれに限定されない。本発明では、平面視でキースイッチに重なる箇所に空間やクッション材を形成し、その他の必要箇所に支柱等を設けてもよい。
【００４４】
また、第１の実施形態では、フィルム１１を駆動させるための機構として、圧電素子１４等を用いているが、本発明では、これに限定せず、ソレノイド等を用いてもよい。
【００４５】
また、本発明において、電圧を加えることで面方向に変形するフィルムは、圧電フィルムに限るものではない。電圧を加えることで面方向に変形するフィルムは、例えば電歪フィルム、エレクトレットフィルム、コンポジットフィルム、または電気活性フィルム等がある。
【００４６】
電歪フィルムの材料として、例えば、ＰＶＤＦ系の共重合体が挙げられる。ＰＶＤＦ系の共重合体として、例えば、Ｐ（ＶＤＦ−ＴｒＦＥ）等のコポリマー、Ｐ（ＶＤＦ−ＴｒＦＥ−ＣＦＥ）等のターポリマーが挙げられる。
【００４７】
電気活性フィルムとは、電気的駆動によって応力を発生するフィルム、または電気的駆動によって変形して変位を発生するフィルムである。具体的には、電歪フィルム、コンポジット材料（圧電セラミックスを樹脂モールドした材料）、電気駆動型エラストマー、または液晶エラストマー等がある。
【００４８】
さらに、「電圧を加えることで面方向に変形するフィルム」は、単層でも良いし、積層されたものでも良い。特に積層する枚数を増やすことによってより強い振動を得ることができる。
【符号の説明】
【００４９】
Ｆ…指
１０，２０，３０，５０，６０…触覚提示装置
１１…フィルム
１２…キーシート
１３…キースイッチ（押込操作検出部）
１４…圧電素子
１５，６５…保持部材
１６…開口部
１７…接着部材
１８…制御部
２６…モータ
２９…延出部材
３９…カム
４１…ガイド
４２…固定部材
５１…圧電フィルム
７３…クッション材（弾力性部材）
【図１】
2016067832.tif 000003
【図２】
2016067832.tif 000004
【図３】
2016067832.tif 000005
【図４】
2016067832.tif 000006
【図５】
2016067832.tif 000007
【図６】
2016067832.tif 000008
【図７】
2016067832.tif 000009
【手続補正書】
【提出日】平成29年4月26日(2017.4.26)
【手続補正１】
【補正対象書類名】特許請求の範囲
【補正対象項目名】全文
【補正方法】変更
【補正の内容】
【特許請求の範囲】
【請求項１】
端部が固定され、押込操作により主面が凹むことが可能なフィルムと、
前記フィルムの前記主面に対する押込操作を検出する押込操作検出部と、
前記押込操作検出部が押込操作を検出したときに、前記フィルムの面方向の張力を変化させる駆動部と、を備え、
前記フィルムの一方の端部は固定され、前記フィルムの他方の端部は前記駆動部に取付けられている、触覚提示装置。
【請求項２】
端部が固定され、押込操作により主面が凹むことが可能なフィルムと、
前記フィルムの前記主面に対する押込操作を検出する押込操作検出部と、
前記押込操作検出部が押込操作を検出したときに、前記フィルムの面方向の張力を変化させる駆動部と、を備え、
前記フィルムの両端部は固定され、
前記フィルムは、電圧を加えることで面方向に変形し、
前記駆動部は、前記押込操作検出部が押込操作を検出したときに、前記フィルムに電圧を印加する、触覚提示装置。
【請求項３】
前記フィルムの前記主面の反対側に空間または弾力性部材が設けられる、請求項１または２に記載の触覚提示装置。
【請求項４】
前記フィルムは、両主面に電極が形成された圧電性樹脂からなる圧電フィルムである、請求項２に記載の触覚提示装置。
【請求項５】
前記圧電性樹脂はポリフッ化ビニリデンを材料とする、請求項４に記載の触覚提示装置。
【請求項６】
前記圧電性樹脂はポリ乳酸を材料とする、請求項４に記載の触覚提示装置。
【手続補正２】
【補正対象書類名】明細書
【補正対象項目名】０００７
【補正方法】変更
【補正の内容】
【０００７】
この構成によれば、ユーザが指で押込操作検出部を押すと、駆動部は、フィルムを伸縮させる。これにより、フィルムのうち指で押された部分は上下方向に振動し、フィルムの振動は指に伝達される。このように、駆動部はフィルムの面方向の張力を変化させるだけなので、駆動部を押込操作検出部の下部に設ける必要がない。このため、触覚提示装置を薄型化することができる。また、この構成によれば、どの押込操作検出部を押しても、同じ振動が指に伝達されるので、ユーザは同じ振動を感じることができる。
さらに、本発明の触覚提示装置では、フィルムの一方の端部は固定され、フィルムの他方の端部は駆動部に取付けられる。この構成によれば、駆動部は、フィルムの端部を動かすことでフィルムの面方向の張力を変化させる。このため、フィルムの端部付近のみに駆動部を設ければよい。また、フィルムの端部を動かすだけなので、駆動部のサイズを小さくすることができる。このため、触覚提示装置を小型化および薄型化することができる。なお、フィルムと駆動部の組み合わせは、１つでも良いし、キーのエリアごとに分けるなど複数設けても良い。例えば右手領域と左手領域に分けることもできる。フィルムと駆動部の組み合わせを１つで構成した場合は、構造が簡単にできるメリットがある。またフィルムと駆動部の組み合わせを複数設けた場合は、キーのタイピングスピードが早くても対応が容易になるメリットがある。
または、本発明の触覚提示装置は次の構成をさらに有する。フィルムの両端部は固定される。フィルムは電圧を加えることで面方向に変形する。駆動部は、押込操作検出部が押込操作を検出したときに、フィルムに電圧を印加する。この構成では、フィルムの端部を動かす機構が必要ないので、触覚提示装置をさらに小型化することができる。また、フィルム自体が伸縮することで振動が生じるので、ユーザは振動を感じやすい。なお、ここではフィルムの両端を固定しても良好な振動を得ることが出来るが、上記で示したようなフィルムの一方端部を固定してフィルムの他方の端部を駆動部にとりつけても良い。この場合、両方の振動を得ることが出来るので、より大きな振動を得ることができる。
【手続補正３】
【補正対象書類名】明細書
【補正対象項目名】０００９
【補正方法】削除
【補正の内容】
【手続補正４】
【補正対象書類名】明細書
【補正対象項目名】００１０
【補正方法】削除
【補正の内容】
【手続補正書】
【提出日】平成29年7月27日(2017.7.27)
【手続補正１】
【補正対象書類名】特許請求の範囲
【補正対象項目名】全文
【補正方法】変更
【補正の内容】
【特許請求の範囲】
【請求項１】
端部が固定され、押込操作により主面が凹むことが可能なフィルムと、
前記フィルムの前記主面に対する押込操作を検出する押込操作検出部と、
前記押込操作検出部が押込操作を検出したときに、前記フィルムの面方向の張力を変化させる駆動部と、を備え、
前記フィルムの一方の端部は固定され、前記フィルムの他方の端部は前記駆動部に取付けられている、触覚提示装置。
【請求項２】
前記フィルムの前記主面の反対側に空間または弾力性部材が設けられる、請求項１に記載の触覚提示装置。
【手続補正２】
【補正対象書類名】明細書
【補正対象項目名】０００６
【補正方法】変更
【補正の内容】
【０００６】
本発明の触覚提示装置は、フィルム、押込操作検出部および駆動部を備える。このフィルムでは、端部が固定され、押込操作により主面が凹むことが可能である。押込操作検出部は、フィルムの前記主面に対する押込操作を検出する。駆動部は、押込操作検出部が押込操作を検出したときに、フィルムの面方向の張力を変化させる。フィルムの一方の端部は固定され、フィルムの他方の端部は駆動部に取付けられている。
【手続補正３】
【補正対象書類名】明細書
【補正対象項目名】０００７
【補正方法】変更
【補正の内容】
【０００７】
この構成によれば、ユーザが指で押込操作検出部を押すと、駆動部は、フィルムを伸縮させる。これにより、フィルムのうち指で押された部分は上下方向に振動し、フィルムの振動は指に伝達される。このように、駆動部はフィルムの面方向の張力を変化させるだけなので、駆動部を押込操作検出部の下部に設ける必要がない。このため、触覚提示装置を薄型化することができる。また、この構成によれば、どの押込操作検出部を押しても、同じ振動が指に伝達されるので、ユーザは同じ振動を感じることができる。
また、この構成によれば、駆動部は、フィルムの端部を動かすことでフィルムの面方向の張力を変化させる。このため、フィルムの端部付近のみに駆動部を設ければよい。また、フィルムの端部を動かすだけなので、駆動部のサイズを小さくすることができる。このため、触覚提示装置を小型化および薄型化することができる。なお、フィルムと駆動部の組み合わせは、１つでも良いし、キーのエリアごとに分けるなど複数設けても良い。例えば右手領域と左手領域に分けることもできる。フィルムと駆動部の組み合わせを１つで構成した場合は、構造が簡単にできるメリットがある。またフィルムと駆動部の組み合わせを複数設けた場合は、キーのタイピングスピードが早くても対応が容易になるメリットがある。
【手続補正４】
【補正対象書類名】明細書
【補正対象項目名】００１１
【補正方法】削除
【補正の内容】
【手続補正５】
【補正対象書類名】明細書
【補正対象項目名】００１２
【補正方法】削除
【補正の内容】
【手続補正６】
【補正対象書類名】明細書
【補正対象項目名】００１３
【補正方法】削除
【補正の内容】
【国際調査報告】
2016067832.tif 000010
2016067832.tif 000011
2016067832.tif 000012
2016067832.tif 000013